(57)【要約】【課題】録画再生装置において、録画ファイルの移動に、移動を中断されてファイルが分断されるリスクを軽減する。【解決手段】ＨＤＤなどの記録媒体に、録画データを複数のデータブロックに分割し、各々が暗号鍵により暗号化されて記録されているときに、記録媒体の移動元から移動先に全ての録画データをコピーする。次に、記録媒体の移動元から移動先に各々の暗号鍵を一つずつコピーし、削除する。そして、最後に記録媒体の移動元の全てのデータを削除するようにする。【選択図】図４
2011172246.tif 000002
【特許請求の範囲】
【請求項１】
録画データを記録する記録媒体を有する録画再生装置において、
前記記録媒体に、録画データを複数のデータブロックに分割し、各々が暗号鍵により暗号化して記録する手段と、
前記記録媒体の移動元から移動先に全ての前記録画データをコピーする手段と、
前記記録媒体の移動元から移動先に各々の暗号鍵を一つずつコピーし、削除する手段と、
前記記録媒体の移動元の全てのデータを削除する手段とを有することを特徴とする録画再生装置。
【請求項２】
録画データを記録する記録媒体を有する録画再生装置の録画データの移動方法において、
前記記録媒体には、録画データが、複数のデータブロックに分割され、各々が暗号鍵により暗号化されていて、前記録画データを記録媒体の移動元から移動先に移動するときに、
前記記録媒体の移動元から移動先に全ての録画データをコピーするステップと、
前記記録媒体の移動元から移動先に各々の暗号鍵を一つずつコピーし、削除するステップと、
前記記録媒体の移動元の全ての録画データを削除するステップとを有することを特徴とする録画再生装置の録画データの移動方法。
【請求項３】
録画データを記録する記録媒体を有する録画再生装置の録画データのデータアクセス方法において、
前記録画データと複数のフォルダに関係付けられており、
複数のフォルダの内のあるフォルダを指定して、前記録画データを削除するときに、
前記削除しようとする録画データが、他のフォルダと関係付けられていないときに、前記録画データを削除し、前記削除しようとする録画データが、他のフォルダと関係付けられているときに、前記指定されたフォルダと前記録画データの関係のみを削除することを特徴とする録画データのデータアクセス方法。
【請求項４】
録画データを記録する記録媒体を有する録画再生装置の録画データのデータアクセス方法において、
前記録画データと複数のフォルダに関係付けられており、
複数のフォルダの内の第一のフォルダを移動元、第二のフォルダを移動先と指定して、
前記録画データを移動するときに、
前記移動しようとする録画データの前記第一のフォルダの関連付けを、前記第二のフォルダに付け替えることを特徴とする録画再生装置の録画データのデータアクセス方法。
【請求項５】
録画データを記録する記録媒体を有する録画再生装置において、
前記記録媒体に、録画データを複数のデータブロックに分割して、各々が暗号鍵により暗号化されて記録する手段と、
倍速の速度に応じて、前記データブロックを間引いて再生する手段とを有することを特徴とする録画再生装置。
【請求項６】
録画データを記録する記録媒体を有する録画再生装置の録画データの倍速再生方法において、
前記記録媒体には、録画データが、複数のデータブロックに分割され、各々が暗号鍵により暗号化されている録画データを倍速再生するときに、
倍速の速度に応じて、前記データブロックを間引いて再生する録画データの倍速再生方法。
【発明の詳細な説明】
【技術分野】
【０００１】
本発明は、録画再生装置、そのデータ制御方法に係り、特に、放送番組を、内蔵したＨＤＤ、リムーバブルＨＤＤ等の情報記録媒体上に録画が可能な録画再生装置であって、その録画したデータの移動と削除およびその特殊再生に用いて好適な録画再生装置、そのデータ制御方法に関する。
【背景技術】
【０００２】
近年、テレビ放送の分野においては、従来のアナログ放送からデジタル放送に移行しつつある。
【０００３】
デジタル放送では、画像データをデジタルデータとして扱い、画像データを圧縮して送信する画像圧縮技術などが用いられ、受信環境による画像の劣化などの問題が少ないという利点がある。デジタル放送の概要については、以下の非特許文献１に記載がある。
【０００４】
画像圧縮技術として、デジタル方法のデファクトスタンダードとしては、ＭＰＥＧ(Moving Picture Experts Group)の規格が用いられている。ＭＰＥＧ標準では、画像をＩ（Intra）ピクチャ、Ｐ（Predictive）ピクチャ、Ｂ（Bidirectionally predictive）ピクチャの三つのピクチャタイプに分類している。Ｉピクチャは、 ＧＯＰ（Group of Pictures）の中で独立性を保ち、他のピクチャのデータを参照せずに符号化をおこなうフレームである。ＢピクチャとＰピクチャは、前後のピクチャを参照して符号化がおこなわれるピクチャである。倍速再生などの特殊再生時には、Ｉピクチャのみを取り出して映像の再生をおこなっている。
【０００５】
また、画像データは、通常、ファイルシステムのファイルとして、ＨＤＤなどに記録され、ユーザは、移動、削除などの処理をおこなうことができる。ファイルシステムで、多くのＯＳでは、ツリー構造を採用しており、ノードがディレクトリ（フォルダとも言う）で、葉にあたる部分がファイルになる構造が一般的に知られている。ツリー構造については、以下の非特許文献２に記載がある。
【先行技術文献】
【非特許文献】
【０００６】
【非特許文献１】羽島光俊監修,「ポイント図解式、コンピュータ／通信／放送標準事典」,株式会社アスキー,初版,１９９８年５月,第１３章（６２８頁−６８９頁）
【非特許文献２】長岡真  他,「岩波講座情報科学−８：情報の構造とデータベース」,株式会社岩波書店,１９８３年６月,２１−２２頁
【発明の概要】
【発明が解決しようとする課題】
【０００７】
デジタル放送は、上記のような利点もあるが、録画されるデータがデジタルデータであるために、品質の劣化をおこすことなくコピーが可能であるため、違法なコピーを防止するためのセキャリティ対策を施す必要がある。
【０００８】
そのために、例えば、デジタルデータのリムーバブルハードディスクのコンテンツの標準規格のｉＶＤＲ（Information Versatile Disk for Removable usage）に対応した著作権保護規格であるＳＡＦＩＡ（Security Architecture For Intelligent Attachment device）では、録画データを一定の再生時間内のブロックに分けて、保存時には、暗号鍵により暗号化して保存する規則が定められている。
【０００９】
録画再生装置では、通常、移動などをおこなう場合には、移動元と移動先に、同じデータが存在するのは、一定の決められた時間しか許されていないようにして、違法なコピーがおこなわれるのを防止し、セキュリティを高めている。
【００１０】
以下、図３、図９、図１３および図１４を用いて従来技術に係る録画データの移動方法について説明する。
図３は、一般的な暗号鍵付き録画データのデータ構造を表す図である。
図９は、録画番組のデータ構造の一例を示す図である。
図１３は、従来技術に係る録画データの移動方法の手順を示すフローチャートである。
図１４は、従来技術に係る録画データの移動方法の移動時のイメージを示す図である。
【００１１】
録画データは、図３に示されるようにＮ個のブロックＤｉに分けられて、各々に暗号鍵Ｋｉが付加されているものとする。
【００１２】
これを例えば、内蔵ＨＤＤから別のリムーバブルＨＤＤに移動するものとする。そのときには、図１３に示されるような手順でおこなわれる。
【００１３】
先ず、カウンタを初期化するために、ｉに１を代入する（Ｓ１００）。そして、データが最後まで到達したか判定し（Ｓ１０２）、移動するデータがあるときには、Ｋｉをコピーし（Ｓ１０３）、Ｄｉをコピーする（Ｓ１０４）。その後に移動元のＫｉを削除し（Ｓ１０５）、Ｄｉを削除する（Ｓ１０６）。
【００１４】
これによって、移動されるデータの暗号鍵を伴った各ブロックが移動元と移動先に存在するのは、短い時間に抑えられる。
【００１５】
そして、カウントのｉをインクリメントし（Ｓ１０７）、Ｓ１０２に戻り、データがなくなるまで上記手順が繰り返される。
【００１６】
図１４は、ｉ＝３まで移動したときの様子を示したものである。
【００１７】
この従来技術の移動方法によると、移動が何らかの原因（電源断）により、中断されたときに、録画データが分断されるという問題点がある。すなわち、図１３のフローチャートのＳ１０２〜Ｓ１０７のループ処理の間にデータが分断される。
【００１８】
ところで、録画データの取り扱いのためのユーザインタフェースとして、ユーザ毎に、フォルダを用意して、そこに録画ファイルを格納するようなユーザインタフェースが考えられる。そのためには、データの重複を避けるために、図９のようなネットワーク構造を考えるのが自然である。
【００１９】
図９は、ユーザ毎にフォルダを設けて、録画番組とプレイリストを保存できるようにするためのデータ構造である。
【００２０】
従来のツリーに対する演算では、このようなネットワーク構造を処理するアルゴリズムが提供されていなかった。また、ユーザ毎の操作を超えた「すべて」の録画データやプレイリストを処理するためのアルゴリズムも提供されていなかった。
【００２１】
また、ｎ倍速再生の特殊再生時には、ｎの大きさにしたがって、Ｉピクチャを間引いて表示してきたが、ｎが大きくなると特に暗号鍵の処理の時間に追いつかなくなり、表示が不可能になるという問題があった。
【課題を解決するための手段】
【００２２】
そこで、本願発明の録画再生装置の暗号鍵付きの録画データを移動する場合には、先ず、データを全て移動先にコピーして、その後に暗号鍵を一個ずつコピーし、暗号鍵は、一個づつコピーしたあとに、一個ずつ削除する。そして、全ての暗号鍵のコピーと削除が終了すると、移動元のデータを一括削除する。
【００２３】
この方法によれば、暗号鍵とそれに対応するブロックが移動元と移動先の両者に存在する時間は、短時間であるというルールが守られ、かつ、移動が何らかの原因中断されたときに、録画データが分断されるのは、暗号鍵のコピー中のみになる。暗号鍵は、通常、録画データブロックより小さいため、録画ファイルが分断されるリスクは、格段に小さいものにできる。
【００２４】
また、本発明の録画再生装置のデータを削除や移動をおこなう場合には、録画データの実体を削除や移動をする場合と、フォルダと録画データの関係のみを変更する二通りの操作する実行する。
【００２５】
さらに、ｎ倍速再生のときには、再生させるブロック自体を間引いて再生させるようにする。
【発明の効果】
【００２６】
本発明によれば、録画ファイルの移動に、移動を中断されてファイルが分断されるリスクを軽減することができる。
【００２７】
また、本発明によれば、ユーザ毎の録画番組の自然で分かりやすいユーザインタフェースを提供することができる。
【００２８】
さらに、倍速速度が早くなっても、再生が追いつけるような録画再生装置を提供することができる。
【図面の簡単な説明】
【００２９】
【図１】第一の実施形態に係る録画再生装置のハードウェア構成例を示すブロック図である。
【図２】第一の実施形態に係る録画再生装置のデータ制御のためのソフトウェア構成を示すブロック図である。
【図３】一般的な暗号鍵付き録画データのデータ構造を表す図である。
【図４】第一の実施形態に係る録画データの移動方法の手順を示すフローチャートである。
【図５】第一の実施形態に係る録画データの移動方法の移動時のイメージを示す図である。
【図６】録画・再生メイン処理画面を示す図である。
【図７】録画番組の削除のユーザインタフェースを説明する図である。
【図８】録画番組の移動のユーザインタフェースを説明する図である。
【図９】第二の実施形態に係る録画番組のデータ構造の一例を示す図である。
【図１０】削除処理を説明するための図である。
【図１１】移動処理を説明するための図である。
【図１２】一般的な暗号鍵付き録画データのデータ構造とＩピクチャとの関係を示す図である。
【図１３】従来技術に係る録画データの移動方法の手順を示すフローチャートである。
【図１４】従来技術に係る録画データの移動方法の移動時のイメージを示す図である。
【発明を実施するための形態】
【００３０】
以下、本発明に係る各実施形態を、図１ないし図１２を用いて説明する。
【００３１】
〔実施形態１〕
以下、第一の実施形態を、図１ないし図１２を用いて説明する。
【００３２】
先ず、図１および図２を用いて第一の実施形態に係る録画再生装置の構成を説明する。  図１は、第一の実施形態に係る録画再生装置のハードウェア構成例を示すブロック図である。
図２は、第一の実施形態に係る録画再生装置のデータ制御のためのソフトウェア構成を示すブロック図である。
【００３３】
録画再生装置１００は、デジタルおよびアナログ放送を受信して、その放送内容（映像・音声による番組、データ放送による番組、データ放送によるデータを含む）を、例えば、音声を再生して出力するスピーカを含め、プラズマディスプレイパネルや液晶ディスプレイパネルなど、いわゆる、フラットパネルディスプレイ（ＦＰＤ）２００上に表示するＡＶ機器（放送受信装置）である。
【００３４】
アンテナ１１０は、放送されたデジタル放送を受信するためのパラボラアンテナである。このアンテナ１１０からのＲＦ信号は、録画再生装置１００においてデジタルチューナモジュール（または、フロントエンド）１２０を構成するデジタルチューナ１２１に供給されて復調される。このデジタルチューナ１２１の出力は、やはりチューナモジュール１２０を構成する、例えば、ＱＰＳＫ復調回路１２２に供給され、これによりＱＰＳＫ復調がおこなわれる。その後、このＱＰＳＫ復調回路１２２の出力は、やはりチューナモジュール１２０を構成するエラー訂正回路１２３に供給され、ここで、伝送中に生じたエラーが検出されて訂正がおこなわれる。すなわち、このチューナモジュール１２０は、指定された周波数の信号を選局し、ＴＳ（トランスポートストリーム）を抽出する。
【００３５】
デマルチプレクサ１２４は、デジタルチューナモジュール１２０のエラー訂正回路１２３から出力される信号を入力し、データバッファメモリ（ＤＲＡＭ（Dynamic Random Access Memory)またはＳＲＡＭ（Static Random Access Memory））１２５に、いったん記憶した後、適宜これを読み出して解読し、この解読した映像・音声信号をＭＰＥＧデコーダ１２６に供給する。すなわち、このデマルチプレクサ１２４におけるデマルチプレックス処理は、送信側における多重装置（ＭＵＸ）において映像や音声などの複数のストリームが多重されたトランスポートストリーム（ＴＳ）から、必要なストリームを取り出す処理であり、様々なストリームのパケットの中から、必要とするストリームを取り出すための、いわゆる、フィルタリングをおこなう。すなわち、あるチャンネルに選局した場合、そのチャンネルのＰＭＴには、そのチャンネルのサービスを構成する映像や音声ストリームのＰＩＤ（パケットＩＤ）が指定されており、そこで、受信器側では、そのＰＩＤのパケットをフィルタリングして、映像や音声のストリームを取り出すことで、番組を提示することができる。
【００３６】
その後、デマルチプレクサ１２４で取り出された映像や音声のストリームは、ＭＰＥＧデコーダ１２６に供給され、このＭＰＥＧデコーダ１２６では、入力されたデジタル信号を内蔵したＤＲＡＭ１２５等に適宜記憶させて、ＭＰＥＧ方式（特に、ＭＰＥＧ２）により圧縮されている映像・音声信号のデーコード（復号化）処理をおこなう。
【００３７】
また、この録画再生装置１００は、さらに、アナログ放送を受信するためのアンテナ１１１を備えており、さらには、アナログ式のチューナモジュールを構成するアナログチューナ１６１、アナログ復調回路１６２、ＮＴＳＣデコーダ１６３をも備えている。このアナログ式チューナモジュールからは、アナログ放送された番組の映像・音声信号が出力される。
【００３８】
このように、録画再生装置１００内において、デジタル方式のチューナモジュール１２０により受信された映像・音声信号、そして、アナログ式のチューナモジュールで所定の形式に変換された映像・音声信号は、その後、スイッチＳＷ１を介してその一方が選択され、フォーマットコンバータ１２７を介して所定のフォーマットに変換され、例えば、プラズマディスプレイや液晶ディスプレイ等の所謂フラットパネルディスプレイ（ＦＰＤ）２００へ出力されて表示される。または、これらの映像・音声信号は、図にも示すように、例えば、ＣＲＴ、ＶＣＲ等のアナログ外部機器へ出力されており、これによりこれらの外部機器で記録することが可能となっている。なお、ここでは、上記ＭＰＥＧデコーダ１２６で所定の形式に変換された映像信号は、さらに、ＮＴＳＣエンコーダ１２８を介して、所謂、ＮＴＳＣフォーマットに変換されて出力される。また、その音声信号は、Ｄ／Ａ変換器１２９によりアナログ音声信号に変換されて出力される。
【００３９】
また、この図１に示される録画再生装置１００内には、ＣＰＵ(Central Processor Unit)１３０が設けられており、このＣＰＵは、ＲＯＭ１３１内に記憶されているプログラムに従って、各種の処理を実行する。例えば、上記デジタルチューナモジュール１２０を構成するデジタルチューナ１２１、ＱＰＳＫ復調回路１２２、エラー訂正回路１２３、上記アナログチューナモジュール等を制御する。また、赤外線制御信号を発生し、または、受信するＩＲ送受信部１３５を備えており、このＣＰＵ１３０は、このＩＲ送受信部介して、他のＡＶ機器に所定の制御信号を出力し、あるいは、他のＡＶ機器からの制御信号を受信する。
【００４０】
このＣＰＵ１３０に対しては、装置のフロント面に設けられたフロントパネル１３６の各種の操作ボタンスイッチを操作することにより、各種の指令を直接入力することもできる。また、これとは別に、いわゆる、リモートコントローラ１４０が設けられており、このリモートコントローラの各種のボタンを操作することによっても各種の指令を入力することができ、この入力信号は、このリモートコントローラの先端部に設けられたＩＲ発信部から赤外線として、ＩＲ送受信部１３５へ送信される。この入力信号は、ＣＰＵ１３０に対して入力され、もって、このリモートコントローラを操作することによっても、ＣＰＵに対して所定の指令を入力することができる。
【００４１】
そして、さらに、録画再生装置１００内に、番組のコンテンツ（映像・音声情報）を記録するため、ハードディスクドライブ（ＨＤＤ）３００を内蔵している。なお、このＨＤＤ３００内に記録されるデータは、ＭＰＥＧデコーダ１２６で復号化された映像・音声信号を、再び、ＭＰＥＧエンコーダ１５１においてデジタル信号として圧縮し、その後、所定の記録処理を実行してデータの記録をおこなうＨＤＤ処理回路１５２を介して、上記ＨＤＤ３００内に記録する。また、図に矢印で示すように、ＭＰＥＧデコーダ１２６で復号化された映像・音声信号がこのＨＤＤ処理回路１５２に直接入力されると共に、また、いったん記録した情報を再生する場合には、ＨＤＤ３００から読み出された圧縮信号は、このＨＤＤ処理回路１５２を介して、再び、ＭＰＥＧデコーダ１２６へ入力される。すなわち、映像・音声信号のデーコード（復号化）処理をおこない、この復号化された映像・音声信号は、フォーマットコンバータ１２７を介して所定のフォーマットに変換されてフラットパネルディスプレイ（ＦＰＤ）２００へ出力され、再生され、または、ＶＣＲ、ＤＶＤレコーダ等の外部機器へ出力される。なお、この図において、スイッチＳＷ２は、上記アナログチューナモジュールから出力される映像・音声信号と、デジタルチューナモジュール１２０を介して受信し、ＭＰＥＧデコーダ１２６で変換された映像・音声信号とから、その一方を選択するためのスイッチである。
【００４２】
また、録画再生装置１００内には、さらに、例えば、リムーバブルＨＤＤ３０１のような、いわゆる、デジタル情報記録装置が内蔵されており、ＨＤＤ３００から読み出された圧縮信号は、このＨＤＤ処理回路１５２を介して、リムーバブルＨＤＤ３０１に記録することが可能となっている。また、ＨＤＤ処理回路１５２からは、外部のデジタル記録装置に対してＨＤＤ３００から読み出された信号を出力するための端子が設けられている。
【００４３】
また、ユーザは、ＨＤＤに録画されている録画ファイルに対する移動・削除などの指示を、フロントパネル１３６の操作ボタンスイッチ、あるいは、リモートコントローラ１４０によりおこなうことができる。
【００４４】
録画ファイルに対するデータ制御のソフトウェア構成は、図２に示されるように、上位のレイヤからユーザインタフェースＡＰ４０３、録画・再生制御４０２、ファイルシステム４０１、オペレーティングシステム（ＯＳ）４００となり、オペレーティングシステム４００は、ＨＤＤデバイスドライバ４００ａを含んでいる。
【００４５】
ユーザインタフェースＡＰ４０３は、画面の制御とユーザからの指示を受け付けるプログラム群である。録画・再生制御４０２は、ファイルの移動、削除などの指示、映像データの再生をするプログラム群である。ファイルシステム４０１は、ファイルをデータ構造として実現し、その操作をするためのプログラム群である。オペレーティングシステム４００は、ソフトウェアとハードウェアの仲立ちとなる基本プログラムであり、ＨＤＤデバイスドライバ４００ａは、ＨＤＤにアクセスするための制御ソフトウェアである。
【００４６】
これらのソフトウェアは、ＨＤＤ３００のシステムエリアか、ＲＯＭ１３１から、ＤＲＡＭ１２５上にロードされ、ＣＰＵ１３０により実行される。
【００４７】
次に、図３ないし図５を用いて第一の実施形態に係る録画ファイルの移動処理について説明する。
図３は、既に説明したように、一般的な暗号鍵付き録画データのデータ構造を表す図である。
図４は、第一の実施形態に係る録画データの移動方法の手順を示すフローチャートである。
図５は、第一の実施形態に係る録画データの移動方法の移動時のイメージを示す図である。
【００４８】
録画データは、上記と同様、図３に示されるようにＮ個のブロックＤｉに分けられて、各々に暗号鍵Ｋｉが付加されているものとする。
【００４９】
ここでも、内蔵ＨＤＤから別のリムーバブルＨＤＤに移動するものとする。そのときには、図４に示されるような手順でおこなわれる。
【００５０】
先ず、Ｄ１ないしＤＮを移動元から移動先にコピーする（Ｓ２０１）。
【００５１】
そして、カウンタを初期化するために、ｉに１を代入する（Ｓ２０２）。次に、データが最後まで到達したか判定し（Ｓ２０３）、移動する暗号鍵があるときには、Ｋｉをコピーする（Ｓ２０４）。その後に移動元のＫｉを削除する（Ｓ２０５）。
【００５２】
これによって、移動される暗号鍵が移動元と移動先に存在するのは、短い時間に抑えられる。
【００５３】
そして、カウントのｉをインクリメントし（Ｓ２０６）、Ｓ２０３に戻り、暗号鍵がなくなるまで上記手順が繰り返される。
【００５４】
最後に、移動元のＤ１ないしＤＮを削除する（Ｓ２０７）。
【００５５】
図５は、上記の移動方法に従った場合のＳ２０１の終了時、ｉ＝３のとき、ｉ＝Ｎのとき、Ｓ２０７の終了時のときの各フェーズの様子を示したものである。
【００５６】
上記実施形態によれば、Ｓ２０３ないし２０６のループ処理の所で移動処理が中断されたときに、録画ファイルの分断が生じるが、暗号鍵のデータは、録画データのデータブロックに比べるとはるかに小さいため、従来の方法に比べて、録画ファイルの分断のリスクを抑えることができる。
【００５７】
〔実施形態２〕
以下、第二の実施形態を、図６ないし図１１を用いて説明する。
【００５８】
本実施形態は、本発明の録画再生装置の移動・削除の処理について説明するものである。
【００５９】
先ず、図６を用いて録画・再生メイン処理画面について説明する。
図６は、録画・再生メイン処理画面を示す図である。
【００６０】
録画・再生メイン処理画面は、録画した番組を表示してユーザの操作指示をおこなえるようにする画面である。
【００６１】
ＨＤＤ切替ボタン１００１は、操作の対象の記録媒体を内蔵ＨＤＤにするか、リムーバブルＨＤＤにするかを切り替えるボタンである。図６の例では、内蔵ＨＤＤが選択されている。
【００６２】
フォルダメニュー１００２は、録画番組がどのフォルダに属するかを表示するメニューである。このフォルダは、録画するユーザに従って作成することを意図されている。ここで、一つの録画番組であっても、複数のフォルダに属することも可能である。例えば、「映画Ａ」という番組は、「お父さん」のフォルダに属することも可能であり、「お母さん」のフォルダに属する。また、特別に意味付けられた「すべて」のフォルダがあり、「すべて」が選択されているときは、すべてのフォルダの録画番組を表示する。
【００６３】
録画番組メニュー１００３は、録画した番組の情報を表示するメニューである。図６の例では、録画日付、開始時間、録画時間の長さ、チャンネル、番組名が表示されているが、その他の情報を表示してもよい。また、図では、リスト形式の表示になっているが、サムネイル（一覧表示するために縮小された画像）表示にすることもできる。
【００６４】
コマンド欄１０１０は、様々な操作をおこなうためのボタンを配したエリアである。ボタンの機能を実行するためには、フロントパネル１３６の各種の操作ボタンスイッチまたはリモートコントローラ１４０により、カーソルを操作して選択して実行する（決定キー（Ｅｎｔｅｒ）降下）か、ボタンに結び付けられたキーを降下して実行する。
【００６５】
先ず、図６および図７を用いて録画番組の移動・削除のユーザインタフェースを説明する。
図６は、録画番組の削除のユーザインタフェースを説明する図である。
図７は、録画番組の移動のユーザインタフェースを説明する図である。
【００６６】
削除のときには、録画番組メニュー１００３の中の録画番組のリストにカーソルを位置付けて、選択ボタン１０１１を降下して、その録画番組を選択し、削除ボタン１０１４を降下する。図６の例では、ユーザは、「お父さん」フォルダの「映画Ｂ」という番組を削除しようとしている。
【００６７】
図には示さなかったが、通常は、削除の確認ダイアローグを表示し、ユーザに削除前の確認を求める。
【００６８】
移動のときには、メニューボタン１０１３を降下して、メニュー一覧１０２０を表示して(図８(ａ))、[フォルダ移動]を選択する。
【００６９】
そして、移動する番組を選択し(図８(ｂ))、次の画面に遷移させて、移動先のフォルダを選択し(図８(ｃ))、最後に、実行する(決定キー降下)。
【００７０】
次に、図９ないし図１１を用いて録画番組の移動・削除の処理について説明する。
図９は、既に説明したように録画番組のデータ構造の一例を示す図である。
図１０は、削除処理を説明するための図である。
図１１は、移動処理を説明するための図である。
【００７１】
図９に示されるように、本実施形態の録画処理を実現するためのデータ構造は、「お父さん」、「お母さん」のようなフォルダに録画番組データとプレイリストがネットワーク構造になっている。録画番組データは、映像データと録画に関する管理情報を含むものである。プレイリストは、再生するときのスケジュールの管理データである。以下では、録画番組データとプレイリストのデータを実体データと呼ぶことにする。
【００７２】
次に、図１０を用いて図９に示したデータ構造に基づいておこなわれる本実施形態の削除処理について説明する。
【００７３】
図９に示したデータ構造としては、「すべて」のフォルダは持っていないがユーザに表示するための擬似的なフォルダとして「すべて」を処理の対象として扱うことに注意する。
【００７４】
削除の基本動作としては、以下のように処理をおこなう。
(１)「すべて」内で削除をおこなった場合、実体データを削除し、他のフォルダで関連付けられている実体データの関連付けも削除する。
(２)削除しようとする録画番組の実体データが、他のフォルダと関連付けされていなければ、実体データごと削除をおこなう。
(３)削除しようとする録画番組の実体データが、他のフォルダと関連付けされている場合は、他のフォルダとの関連付けを削除する。
【００７５】
例えば、図１０(ａ)に示されるように、フォルダ「すべて」を指定して、録画番組Ａを削除した場合には、録画番組Ａの実体データを削除する。
【００７６】
また、フォルダ「お父さん」を指定して、録画番組Ａを削除した場合には、「お父さん」と録画番組Ａの実体データとの関連付けを削除し、録画番組Ａの実体データは削除されない。録画番組Ａは、「おじいちゃん」のフォルダにも入っているからである。図には示さなかったが、フォルダ「お母さん」を指定して、録画番組Ｂを削除した場合には、録画番組Ｂの実体データも削除される。録画番組Ｂを持っているのは、「すべて」を考慮外とすれば、「お母さん」のみであり、他のフォルダと関連づいていないからである。
【００７７】
また、図１０(ｂ)に示されるように、「おじいちゃん」のフォルダを削除するときには、録画番組Ａの実体データの削除はおこなわず、録画番組Ｂの実体データの削除のみをおこなう。録画番組Ａは、「お父さん」のフォルダにも含まれており、一方、録画番組Ｃは、「すべて」を考慮外とすれば、他のいかなるフォルダにも含まれていないからである。
【００７８】
次に、図１１を用いて図９に示したデータ構造に基づいておこなわれる本実施形態の移動処理について説明する。
【００７９】
移動処理の基本動作としては、フォルダと実体データの関連付けを変更するのみである。
【００８０】
フォルダ「お父さん」を指定して、録画番組Ａを、フォルダ「お母さん」に移動する場合には、フォルダ「お父さん」と録画番組Ａの実体データとの関連付けをフォルダ「お母さん」に変更する。
【００８１】
フォルダ「おじいさん」を指定して、録画番組Ａと録画番組Ｃを、フォルダ「お父さん」に移動する場合には、フォルダ「お父さん」と録画番組Ａの実体データとの関連付けは、そのままにし、フォルダ「おじいさん」と録画番組Ｃの実体データとの関連付けをフォルダ「お父さん」に変更する。
【００８２】
フォルダ「すべて」を指定して、録画番組Ａを、フォルダ「お母さん」に移動する場合には、フォルダ「お母さん」と録画番組Ａの実体データの関連付けを追加する。
【００８３】
フォルダ「すべて」を指定して、録画番組Ａと録画番組Ｂを、フォルダ「お父さん」に移動する場合には、フォルダ「お父さん」と録画番組Ａの実体データとの関連付けは、そのままであり、フォルダ「お父さん」と録画番組Ｃの実体データとの関連付けを追加する。
【００８４】
〔実施形態３〕
以下、第三の実施形態を、図１２を用いて説明する。
図１２は、一般的な暗号鍵付き録画データのデータ構造とＩピクチャとの関係を示す図である。
【００８５】
本実施形態は、本発明の録画再生装置のｎ倍速再生（ｎは、自然数）のときの再生処理について説明するものである。
【００８６】
図１２に示されるように、暗号鍵付きのＭＰＥＧデータで、各々のデータブロックに暗号鍵が付加されており、１データブロックの再生がおおよそ１分＝６０秒かかるときのｎ倍速再生をする場合を考える。１データブロックには、Ｉピクチャが１２０枚含まれている。
【００８７】
ここで、従来技術において、１倍速から１２０倍速までの再生するときの状況は、以下の表１に示されるようになる。
【００８８】
【表１】
2011172246.tif 000003
１倍速のときには、１秒間あたりの画面の表示枚数（Ｉピクチャの数）は、２枚であり、データのなかのＩピクチャは全て表示される。そして、暗号鍵を読み込む間隔は、６０秒である。
【００８９】
２倍速のときには、１秒間あたりの画面の表示枚数は、４枚になり、データのなかのＩピクチャは全て表示される。暗号鍵を読み込む間隔は、３０秒である。
【００９０】
１０倍速のときには、１秒間あたりの画面の表示枚数は、２０枚になり、データのなかのＩピクチャは、やはり全て表示される。暗号鍵を読み込む間隔は、６秒である。
【００９１】
これ以上倍速の速度が大きくなるときは、１データブロックの中のＩピクチャを間引いて表示する。
【００９２】
そして、それ以上に倍速速度が大きくなったときには、１秒間あたりの画面の表示枚数は、２０枚のまま一定にし、表示するＩピクチャの数を少なくして、Ｉピクチャの数を間引いて表示する。
【００９３】
３０倍速のときには、１秒間あたりの画面の表示枚数は、２０枚であり、データのなかのＩピクチャは、全体の１／３が表示される。暗号鍵を読み込む間隔は、２秒である。
【００９４】
６０倍速のときには、１秒間あたりの画面の表示枚数は、２０枚であり、データのなかのＩピクチャは、全体の１／６が表示される。暗号鍵を読み込む間隔は、１秒である。
【００９５】
最後に、１２０倍速のときには、１秒間あたりの画面の表示枚数は、２０枚であり、データのなかのＩピクチャは、全体の１／１２が表示される。暗号鍵を読み込む間隔は、０．５秒である。
【００９６】
従来技術の倍速再生では、１２０倍速程度の高速の倍速再生ともなると、暗号鍵を読み込む間隔が短くなり、システムの性能が追いつかなくなって再生できない事態に陥る。
【００９７】
そこで、本発明では、例えば、再生する暗号鍵とデータブロックを間引いて表示するようにする。すなわち、従来技術では、（Ｋ１，Ｄ１）→（Ｋ２，Ｄ２）→（Ｋ３，Ｄ３）→（Ｋ４，Ｄ４）→（Ｋ５，Ｄ５）→  …のように再生していたところを偶数番目の暗号鍵とデータブロックを間引いて、（Ｋ１，Ｄ１）→（Ｋ３，Ｄ３）→（Ｋ５，Ｄ５）→（Ｋ７，Ｄ７）→  …のように再生する。そして、データブロックの中のＩピクチャは、全体の１／６を表示する。
【００９８】
このようにすると、暗号鍵を読み込む間隔は２倍になり、１２０倍速のときには、１秒となる。そして、ユーザにとっては、画面の飛びが起こっているように見えるが、１データブロックの再生は、２倍の時間が取れるので、人間の目にやさしい表示になる。
【００９９】
また、データブロックの中の最初のＩピクチャと最後のＩピクチャを必ず表示するように決めておいて、表示するようにしてもよい。
【符号の説明】
【０１００】
１００…録画再生装置
１６１…アナログチューナ
１２１…デジタルチューナ
１２６…ＭＰＥＧデコーダ
１３０…制御部
１４０…リモコン
１５１…ＭＰＥＧエンコーダ
２００…表示部
３００…ハードディスクドライブ（ＨＤＤ）
３０１…リムーバブルハードディスクドライブ（ＨＤＤ）。
【図１】
2011172246.tif 000004
【図２】
2011172246.tif 000005
【図３】
2011172246.tif 000006
【図４】
2011172246.tif 000007
【図５】
2011172246.tif 000008
【図６】
2011172246.tif 000009
【図７】
2011172246.tif 000010
【図８】
2011172246.tif 000011
【図９】
2011172246.tif 000012
【図１０】
2011172246.tif 000013
【図１１】
2011172246.tif 000014
【図１２】
2011172246.tif 000015
【図１３】
2011172246.tif 000016
【図１４】
2011172246.tif 000017
【手続補正書】
【提出日】平成23年3月22日(2011.3.22)
【手続補正２】
【補正対象書類名】明細書
【補正対象項目名】００２２
【補正方法】変更
【補正の内容】
【００２２】
上記課題を解決するために、本発明の一実施の態様は、例えば特許請求の範囲に記載されている技術的思想を用いればよい。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
録画データを記録する記録媒体を有する録画再生装置の録画データのデータアクセス方法において、
前記録画データと複数のフォルダに関係付けられており、
複数のフォルダの内のあるフォルダを指定して、前記録画データを削除するときに、
前記削除しようとする録画データが、他のフォルダと関係付けられていないときに、前記録画データを削除し、前記削除しようとする録画データが、他のフォルダと関係付けられているときに、前記指定されたフォルダと前記録画データの関係のみを削除することを特徴とする録画データのデータアクセス方法。
【請求項２】
録画データを記録する記録媒体を有する録画再生装置の録画データのデータアクセス方法において、
前記録画データと複数のフォルダに関係付けられており、
複数のフォルダの内の第一のフォルダを移動元、第二のフォルダを移動先と指定して、
前記録画データを移動するときに、
前記移動しようとする録画データの前記第一のフォルダの関連付けを、前記第二のフォルダに付け替えることを特徴とする録画再生装置の録画データのデータアクセス方法。
【請求項３】
録画データを記録する記録媒体を有する録画再生装置において、
前記記録媒体に、録画データを複数のデータブロックに分割して、各々が暗号鍵により暗号化されて記録する手段と、
倍速の速度に応じて、前記データブロックを間引いて再生する手段とを有することを特徴とする録画再生装置。
【請求項４】
録画データを記録する記録媒体を有する録画再生装置の録画データの倍速再生方法において、
前記記録媒体には、録画データが、複数のデータブロックに分割され、各々が暗号鍵により暗号化されている録画データを倍速再生するときに、
倍速の速度に応じて、前記データブロックを間引いて再生する録画データの倍速再生方法。